(57)【要約】      （修正有）【課題】保護枠体の外嵌めされたスマートフォンにおいて通信カメラによる覗き見や盗撮を防止するために使用される覗き見防止装置を提供する。【解決手段】スマートフォンに搭載された通信カメラにおいて、前記スマートフォンに保護枠体を外嵌し、この保護枠体に前記通信カメラの撮影用レンズを覆ったりこの覆いを解除したりすることができるレンズカバー部材を設置した。従来のようにスマートフォンにスライド装置を直接貼り付ける必要がないため、スマートフォン自体に剥がし跡は生ぜず、従来発生した剥がし跡の粘着性によるスマートフォンの汚れ及び取扱いの不便さは解消される。【選択図】図１
0003173514.tif 000002
【実用新案登録請求の範囲】
【請求項１】
スマートフォンに搭載された通信カメラにおいて、前記スマートフォンに保護枠体を外嵌し、この保護枠体に前記通信カメラの撮影用レンズを覆ったりこの覆いを解除したりすることができるレンズカバー部材を設置したことを特徴とするスマートフォンに搭載された通信カメラ用覗き見防止装置。
【請求項２】
前記レンズカバー部材は、前記保護枠体にスライド板をスライド可能に設置し、このスライド板をスライドさせることにより前記通信カメラの撮影用レンズを覆ったりこの覆いを解除したりすることを特徴とする請求項１のスマートフォンに搭載された通信カメラ用覗き見防止装置。
【請求項３】
前記スライド板を、前記保護枠体製造時に内蔵させたことを特徴とする請求項２のスマートフォンに搭載された通信カメラ用覗き見防止装置。
【考案の詳細な説明】
【技術分野】
【０００１】
この考案はスマートフォンに搭載された通信カメラ用覗き見防止装置に関し、特に、保護枠体の外嵌めされたスマートフォンにおいて通信カメラによる覗き見や盗撮を防止するために使用されるものである。
【背景技術】
【０００２】
最近、他人のスマートフォンにウィルスを侵入させ、そのウェブカメラを介して他人の私生活を覗き見したり、盗撮したりする事件が発生している。
【０００３】
このため、考案者は、スマートフォンにスライド板部材をスライド可能に設置し、このスライド板部材をスライドさせることにより前記ウェブカメラの撮影用レンズを覆ったりこの覆いを解除したりして、このような覗き見や盗撮を防止する装置を考案し、既に、実用新案登録を受けている（実登録第３１７０６１９号）。
【０００４】
【特許文献１】実登録第３１７０６１９号公報
【考案の開示】
【考案が解決しようとする課題】
【０００５】
しかしながら、かかる従来における防止装置にあっては、スマートフォンにスライド装置を直接貼り付けていたため、剥がした際にその跡の粘着性によってスマートフォンが汚れやすいとともに取扱いにくいという不都合を有した。
【０００６】
これらの不都合を解消することがこの考案の課題である。
【課題を解決するための手段】
【０００７】
前記課題を達成するために、考案者は鋭意研究し、スマートフォンが通常保護枠体を外嵌めした状態で使用されることに着目し、この考案を完成した。
【０００８】
この考案に係るスマートフォンに搭載された通信カメラ用覗き見防止装置においては、スマートフォンに搭載された通信カメラにおいて、前記スマートフォンに保護枠体を外嵌し、この保護枠体に前記通信カメラの撮影用レンズを覆ったりこの覆いを解除したりすることができるレンズカバー部材を設置したものである。
【０００９】
この場合、前記レンズカバー部材を、前記保護枠体にスライド板をスライド可能に設置し、このスライド板をスライドさせることにより前記通信カメラの撮影用レンズを覆ったりこの覆いを解除したりすることができる。
【００１０】
また、前記スライド板を、前記保護枠体製造時に内蔵させることもできる。
【考案の効果】
【００１１】
この考案に係るスマートフォンに搭載された通信カメラ用覗き見防止装置は上記のように構成されているため、即ち、スマートフォンに搭載された通信カメラにおいて、前記スマートフォンに保護枠体を外嵌し、この保護枠体に前記通信カメラの撮影用レンズを覆ったりこの覆いを解除したりすることができるレンズカバー部材を設置したため、スマートフォンの保護枠体に設置したレンズカバー部材を操作することによって通信カメラの撮影用レンズをカバーしたり、そのカバーを外したりすることができる。
【００１２】
よって、このスマートフォンに搭載された通信カメラ用覗き見防止装置を使用すれば、従来のようにスマートフォンにスライド装置を直接貼り付ける必要がないため、スマートフォン自体に剥がし跡は生ぜず、従来発生した剥がし跡の粘着性によるスマートフォンの汚れ及び取扱いの不便さは解消されるものである。
【００１３】
この場合、前記レンズカバー部材を構成するにあたって、前記保護枠体にスライド板をスライド可能に設置し、このスライド板をスライドさせることにより前記通信カメラの撮影用レンズを覆ったりこの覆いを解除したりすれば、簡単な操作で覗き見や盗撮を防止することができる。
【００１４】
また、前記スライド板を、前記保護枠体製造時に内蔵させれば、当該装置全体がコンパクトになるとともに使用者は別途にこの装置を取り付ける必要がないため、使用しやすいものである。
【考案を実施するための最良の形態】
【００１５】
この考案に係る「スマートフォン」とは、インターネットとの親和性が高く、PCの機能をベースとして作られた携帯電話のことである。
【００１６】
また、「通信カメラ」には、ウェブカメラ、携帯カメラ等が該当する。
【００１７】
「保護枠体」とは樹脂製の枠状ケースであり、スマートフォンに外嵌めされ、スマートフォンを衝撃から保護しているとともにそのデザイン性を高めるものである。底部が一体形成されているものもある。「保護枠体」の一部が前記通信カメラの撮影用レンズを覆っている場合には、この撮影用レンズが露出するように露出用透孔が形成されている。
【００１８】
「レンズカバー部材」には、スライド式、スウィング式、蓋式、栓式等があり、いずれも作動して通信カメラの撮影用レンズを覆ったりその覆いを解除したりする。また、「レンズカバー部材」を保護枠体に取り付ける場合には、貼着によって固定することもできるし面ファスナー等によって着脱可能にすることもできる。
【００１９】
「スライド板」は、フィルム状の薄いものが適している。
【００２０】
「レンズカバー部材が内蔵式」の場合は、保護枠体製造時に一体的に組み込むことである。
【００２１】
「覗き見・盗撮」等は、スマートフォンに侵入したウィルス等によって、その通信カメラが誤作動し、意思に反して使用者の私生活を覗き見したり、盗撮したりすることである。
【実施例】
【００２２】
以下、この考案の実施例を図面に基づいて説明する。
【００２３】
図１はこの考案に係るスマートフォンに搭載された通信カメラ用覗き見防止装置の前面斜視図、図２は同裏面斜視図、図３は図１におけるIII部の拡大図、図４は図３におけるIV-IV線拡大断面図、図５は図４に相当する第２実施例の図、図６は図３に相当する第３実施例の図、図７は図６におけるVII-VII線拡大断面図である。
【００２４】
図１において、１０はスマートフォン、１１はそのフレームである。１２はタッチパネルであり前記フレーム１１の表面に設置されている。このタッチパネル１２上には所要数のタッチパッド１３，１３，…が設置されている。また、１４は送話部であり、前記フレーム１１の上部に設置され、また、１５は受話部であり、同フレーム１１の下部に設置されている。この送話部１４と受話部１５は電話としての機能を果たす。
【００２５】
２０は前面ウェブカメラ（この考案の「通信カメラ」に相当する）であり、前記フレーム１１に内蔵され、その撮影用レンズ２１は透明部（フレーム１１の）２２を介してフレーム１１の上部略中央に露出している（図４参照のこと）。
【００２６】
２３は背面ウェブカメラ（この考案の「通信カメラ」に相当する）であり、前面ウェブカメラ２０と同様に設置されその撮影用レンズ２４は前記フレーム１１の背面上隅部に露出している（図２参照のこと）。
【００２７】
３０は樹脂製の保護枠体であり、前記スマートフォン１のフレーム１１に枠状に外嵌めされている。この保護枠体３０は底部３１も一体成形され、前記タッチパネル１２のみが露出している。なお、前記送話部１４，前記受話部１５，前記撮影用レンズ２１，２４は各々露出用透孔３２，３３，３４，３５を介して大気中に露出している。
【００２８】
Ａはスライド式レンズカバー部材であり、前記保護枠体３０における前面ウェブカメラ２０における前記撮影用レンズ２１の露出用透孔３４を覆う状態で前記フレーム１１に貼着されている。
【００２９】
次に、図３及び図４に基づいて前記スライド式レンズカバー部材Ａについて詳述する。
【００３０】
図において、５１は鞘状ケーシングであり、樹脂フィルム等によって一体形成されている。この鞘状ケーシング５１は前壁５２と後壁５３を有し、略薄板長尺状をしている。５５，５５は撮影窓であり、前記前壁５２と後壁５３に形成されている。これらの撮影窓５５，５５は前記撮影用レンズ３４の全体を覗けるように位置している。また、５６は操作窓であり、前記前壁５２に長手方向に沿って形成されている。この操作窓５６の機能は後記する。
【００３１】
６０はフィルム状のスライド板であり、前記鞘状ケーシング５１内にスライド可能に嵌めこまれている。このスライド板６０は前記前壁５２と後壁５３とに挟まれた状態でスライドし、前記撮影窓５５，５５を開閉することにより、前記撮影用レンズ２１をカバーしたり、そのカバーを外したりする。６１は操作片であり、前記スライド板６０に一体形成されている。この操作片６１は前記操作窓５６内に位置し、使用者はこの操作片６１を指で操作することによって前記スライド板６０を左右にスライドさせる。
【００３２】
前記前壁５２の外壁面及び前記スライド板６０の表面を鏡面にすれば、前記スライド板６０によって前記撮影窓５５を閉止したとき、前記スライド式レンズカバー部材Ａの表面を鏡として違和感なく使用することができるが、前記スライド板６０によって前記撮影窓５５を開放したときは、前記撮影窓５５の部分は鏡として機能しないため、違和感が生じ、撮影窓５５の開閉状態を容易に判断することができる。
【００３３】
図５は第２実施例であり、前記鞘状ケーシング５１に相当する部分を前記保護枠体３０に一体形成したものである。このように一体形成すれば、スライド板６０を保護枠体３０製造時に組み込むことができ、当該装置全体がコンパクトになる。
【００３４】
次に、図６及び図７に基づいてスウィング式レンズカバー部材（第３実施例）Bについて詳述する。
【００３５】
図において、７１は弾性カバー部材であり、軸部７２を介して前記保護枠体３０の表面にスウィング可能（矢印方向）に設置されている。このカバー部材７１がスウィングすることによって、その先端部が前記保護枠体３０における前記撮影用レンズ２１の露出用透孔３４を覆ったり（実線の状態）、その覆いを解除したりする（仮想線の状態）。なお、前記カバー部材７１の先端部の裏面に栓部７３を突設すれば、前記カバー部材７１が前記露出用透孔３４を覆った際にこの栓部７３が前記露出用透孔３４に内嵌めされ、その覆った状態を安定させることができる。
【００３６】
なお、この実施例では、背面ウェブカメラ２３については、レンズカバー部材Ａ，Bが設置されていないが、上記した前面ウェブカメラ２０と同様に設置することができることに相違ないものである。
【産業上の利用可能性】
【００３７】
この考案に係るスマートフォンに搭載された通信カメラ用覗き見防止装置は、従来のようにスマートフォンにスライド装置を直接貼り付ける必要がないため、スマートフォン自体にその剥がし跡は生ぜず、従来発生した剥がし跡の粘着性によるスマートフォンの汚れ及び取扱いの不便さは解消される。産業上の利用可能性は高いものである。
【図面の簡単な説明】
【００３８】
【図１】図１はこの考案に係るスマートフォンに搭載された通信カメラ用覗き見防止装置の前面斜視図である。
【図２】図２は同裏面斜視図である。
【図３】図３は図１におけるIII部の拡大図である。
【図４】図４は図３におけるIV-IV線拡大断面図である。
【図５】図５は図４に相当する第２実施例の図である。
【図６】図６は図３に相当する第３実施例の図である。
【図７】図７は図６におけるVII-VII線拡大断面図である。
【符号の説明】
【００３９】
１０  …  スマートフォン
１１  …  フレーム（スマートフォンの）
１２  …  タッチパネル
１３  …  タッチパッド
１４  …  送話部
１５  …  受話部
２０  …  前面ウェブカメラ（通信カメラ）
２１  …  撮影用レンズ
２２  …  透明部（フレーム１１の）
２３  …  背面ウェブカメラ
２４  …  撮影用レンズ
３０  …  保護枠体
３１  …  底部（保護枠体の）
３２  …  露出用透孔
３３  …  露出用透孔
３４  …  露出用透孔
３５  …  露出用透孔
A  …  スライド式レンズカバー部材
５１  …  鞘状ケーシング
５２  …  前壁
５３  …  後壁
５５  …  撮影窓
５６  …  操作窓
６０  …  スライド板
６１  …  操作片
B  …  スウィング式レンズカバー部材
７１  …  弾性カバー部材
７２  …  軸部
７３  …  栓部
【図１】
0003173514.tif 000003
【図２】
0003173514.tif 000004
【図３】
0003173514.tif 000005
【図４】
0003173514.tif 000006
【図５】
0003173514.tif 000007
【図６】
0003173514.tif 000008
【図７】
0003173514.tif 000009